(57)【要約】【課題】記録媒体の交換などの手作業が不要であり、また長時間の監視映像データの記録が可能でセキュリティの高い監視レコーダの提供する。【解決手段】監視レコーダ（１００）で得られた監視映像データをネットワーク経由で映像蓄積装置（８１０）へ転送する。監視映像データの転送に際して、映像蓄積装置（８１０）と監視レコーダ（６００）の間で個体識別情報を転送し(Ｓ１０３、Ｓ２０１)、認証を行う。【選択図】図１
2008258740.tif 000002
【特許請求の範囲】
【請求項１】
ビデオインタフェースを介してカメラと接続され、さらにネットワークインタフェースと制御手段とを備えた車載用の監視レコーダと、
大容量記憶装置と、ネットワークインタフェースと、制御手段とを備えた映像蓄積装置とを備え、
前記監視レコーダと、前記映像蓄積装置とは、各々のネットワークインタフェースによりネットワークを介して接続可能であり、
前記監視レコーダで前記カメラにより得られた監視映像データを前記ネットワーク経由で前記映像蓄積装置へ転送する監視記録システムにおいて、
前記映像蓄積装置の前記制御手段は個体識別情報または個体識別機能を持ち、
前記監視映像データの転送に際して、前記映像蓄積装置と前記監視レコーダの間で個体識別情報を転送し、認証を行うことを特徴とする
監視記録システム。
【請求項２】
前記車載用監視レコーダは車両の車両制御マイコンと接続され、前記車両制御マイコンを個体識別装置として使用し、
車両の車両キーを保管し、保管されている車両キーの盗難防止装置用識別情報を読み出して前記映像蓄積装置に送信する鍵保管装置をさらに備え、
前記映像蓄積装置の前記制御手段は、前記鍵保管装置から送信された前記盗難防止装置用識別情報を、前記個体識別情報として使用する
ことを特徴とする請求項１に記載の監視記録システム。
【請求項３】
前記車載用監視レコーダから前記映像蓄積装置に監視映像データが送信されたとき、前記車載用監視レコーダは、送信された監視映像データを前記大容量記憶装置の一時記憶領域に一旦記憶し、
前記映像蓄積装置の前記制御手段は、その後、認証情報により、前記車載用監視レコーダから送信された監視映像データの正当性が確認できたときに、前記監視映像データを前記一時記憶領域から読み出して前記大容量記憶装置の保存領域に記録することを特徴とする請求項１に記載の監視記録システム。
【請求項４】
車両の車両キーを保管し、保管されている車両キーの盗難防止装置用識別情報を読み出して前記映像蓄積装置に送信する鍵保管装置をさらに備え、
前記映像蓄積装置の前記制御手段は、前記鍵保管装置から送信された前記盗難防止装置用識別情報を、前記個体識別情報として使用する
ことを特徴とする請求項１又は３に記載の監視記録システム。
【請求項５】
前記監視レコーダがカードリーダを備え、
前記映像蓄積装置がカードリーダを備え、
前記監視映像データの転送に際して、前記映像蓄積装置と前記監視レコーダ間でカードに記録されている認証情報を転送することを特徴とする請求項１に記載の監視記録システム。
【請求項６】
前記監視レコーダと、前記映像蓄積装置で、相互にペアとなる２枚の異なるカードが使用され、前記カードのペアに、データ認証情報の鍵ペアが書き込まれていることを特徴とする請求項５に記載の監視記録システム。
【請求項７】
前記車載用監視レコーダのカードリーダでカードから認証情報を読み込み、当該カードから、前記映像蓄積装置のカードリーダで認証情報を読み込むことによって認証を行うことを特徴とする請求項５に記載の監視記録システム。
【請求項８】
前記監視レコーダが携帯電話とのインタフェースを備え、
前記映像蓄積装置が携帯電話とのインタフェースを備え、
前記監視映像データの転送に際して、前記映像蓄積装置と前記監視レコーダ間で携帯電話に記録されている認証情報を転送することを特徴とする請求項１に記載の監視記録システム。
【請求項９】
ネットワークとして無線ＬＡＮを使用することを特徴とする請求項１に記載の監視記録システム。
【請求項１０】
ネットワークとして有線ＬＡＮを使用することを特徴とする請求項１に記載の監視記録システム。
【請求項１１】
ネットワークとして携帯電話通信網を使用することを特徴とする請求項１に記載の監視記録システム。
【請求項１２】
大容量記憶装置と、ネットワークインタフェースと、制御手段とを備え、前記ネットワークインタフェースによりネットワークを介して車載用の監視レコーダと接続された映像監視装置であって、
前記映像蓄積装置の前記制御手段は個体識別情報または個体識別機能を持ち、監視映像データの転送に際して
前記監視レコーダに個体識別情報を送信する
ことを特徴とする映像蓄積装置。
【請求項１３】
大容量記憶装置と、ネットワークインタフェースと、制御手段とを備え、前記ネットワークインタフェースによりネットワークを介して車載用の監視レコーダと接続された映像監視装置であって、
前記映像蓄積装置の前記制御手段は個体識別情報または個体識別機能を持ち、監視映像データの転送に際して監視レコーダの個体識別情報と照合することを特徴とする
映像蓄積装置。
【請求項１４】
大容量記憶装置と、ネットワークインタフェースと、制御手段とを備え、前記ネットワークインタフェースによりネットワークを介して車載用の監視レコーダと接続された映像監視装置であって、
前記映像蓄積装置の前記制御手段は、車両の車両キーを保管し、保管されている車両キーの盗難防止装置用識別情報を読み出して前記映像蓄積装置に送信する鍵保管装置に接続され、前記鍵保管装置から送信された前記盗難防止装置用識別情報を、個体識別情報として使用する
映像蓄積装置。
【請求項１５】
前記車載用監視レコーダから前記監視映像データが転送される際に、前記車載用監視レコーダに前記盗難防止装置用識別情報を前記個体識別情報として送信することを特徴とする請求項１４に記載の映像蓄積装置。
【請求項１６】
大容量記憶装置と、ネットワークインタフェースと、制御手段とを備え、前記ネットワークインタフェースによりネットワークを介して車載用の監視レコーダと接続された映像監視装置であって、
前記大容量記憶装置は、一時記憶領域と、保存領域とを有し、
前記制御手段は、前記監視レコーダから送信された監視映像データを前記一時記憶領域に記録し、
前記鍵保管装置に車両キーが収納され、前記鍵保管装置により前記車両キーの盗難防止装置用識別情報が読み出されると、該盗難防止装置用識別情報を受けて、当該盗難防止装置用識別情報で特定される車両から送信された監視映像データが前記一時記憶領域に記録されていないかどうかを調べ、記録されている場合には、前記盗難防止装置用識別情報を用いて認証を行い、前記監視映像データの正当性が確認されたら、前記一時記憶領域に記録されているデータを読み出して、前記保存領域に記録する
ことを特徴とする映像蓄積装置。
【請求項１７】
前記鍵保管装置が、
鍵を保持する鍵保持部と、
車両キーが持つ盗難防止装置用識別情報を格納したＩＤチップを動作させるための給電回路と、
ＩＤチップの情報を取り出す通信手段とを備え、
格納されている盗難防止装置用識別情報を車両キーから取り出し、
外部に送出する
ことを特徴とする請求項１６に記載の映像蓄積装置。
【請求項１８】
鍵を保持する鍵保持部と、
車両キーが持つ盗難防止装置用識別情報を格納したＩＤチップを動作させるための給電回路と、
ＩＤチップの情報を取り出す通信手段とを備え、
格納されている盗難防止装置用識別情報を車両キーから取り出し、
外部機器に伝送することを特徴とする鍵保管装置。
【請求項１９】
ビデオインタフェースとネットワークインタフェースと、ＣＰＵを備え、前記ビデオインタフェースを介してカメラと接続され、前記ネットワークインタフェースによりネットワークを介して映像蓄積装置に接続される車載用監視レコーダであって、
個体識別情報または個体識別機能を持つ装置を備え、
監視映像データを前記映像蓄積装置に転送する際に、前記映像蓄積装置に個体識別情報を送信することを特徴とする
車載用監視レコーダ。
【請求項２０】
ビデオインタフェースとネットワークインタフェースと、ＣＰＵを備え、前記ビデオインタフェースを介してカメラと接続され、前記ネットワークインタフェースによりネットワークを介して映像蓄積装置に接続される車載用監視レコーダであって、
個体識別情報または個体識別機能をもつ装置を備え、
監視映像データを前記映像蓄積装置に転送する際に、前記映像蓄積装置から送信された個体識別情報と照合する
ことを特徴とする車載用監視レコーダ。
【請求項２１】
ビデオインタフェースとネットワークインタフェースと、ＣＰＵを備え、前記ビデオインタフェースを介してカメラと接続され、前記ネットワークインタフェースによりネットワークを介して映像蓄積装置に接続される車載用監視レコーダであって、
前記車載用監視レコーダが車両の車両制御マイコンと接続され、監視映像データを前記映像蓄積装置に転送する際に、前記映像蓄積装置から送信された、車両キーの盗難防止装置用識別情報を受け取り、前記盗難防止装置用識別情報を車両制御マイコンに伝えて認証を行うことを特徴とする車載用監視レコーダ。
【請求項２２】
ＣＡＮ（Ｃａｒ  Ａｒｅａ  Ｎｅｔｗｏｒｋ）インタフェースを備え、
前記カメラで撮像を行って得られた映像データをＣＡＮインタフェースから読み込むことを特徴とする請求項２１に記載の車載用監視レコーダ。
【発明の詳細な説明】
【技術分野】
【０００１】
本発明は、車両の状況を監視記録するための車載用監視レコーダに関し、特に、車載用監視レコーダの記録媒体に記録された画像を当該車両の外部の記録装置に転送する機能を持つ車載用監視記録システムに関するものである。
【背景技術】
【０００２】
従来の車載用監視装置として、運転手が運転席に座っていない場合には、運転者検出センサにより運転者が座っていないことを検出し、撮像カメラの撮像する方向を車室内に向け、その出力をＶＴＲに接続することによりＶＴＲの記録がオン状態になり、車室内を撮像した映像信号（撮像画像信号）を磁気テープに記録し、車両の盗難が起きて車両が乗り捨てられた後の犯人の究明に役立てようとするものがある（例えば、特許文献１）。
【０００３】
【特許文献１】特開平８−２６５６１１号公報（段落００２９〜００３０、図２）
【特許文献２】特開平７−１８０４１０号公報  なお、上記の特許文献２については、後に言及する。
【発明の開示】
【発明が解決しようとする課題】
【０００４】
従来の車載用監視装置は監視レコーダとして磁気テープ記録再生装置（以下、ＶＴＲと称す）を使用していたため、磁気テープの交換など手作業が必要であり、磁気テープの装着忘れや、それに起因する上書きによる記録画像の消失など作業ミスの恐れがあった。
また、車両が乗り捨てられた後、犯人の究明に役立てようとしても、犯人が磁気テープを持ち去れば犯人の究明は不可能であった。
【０００５】
なお、磁気テープなどの取り外し可能な記録媒体を用いた監視レコーダに代えてハードディスク装置など固定式の記録媒体を採用した車載用監視レコーダを用いた場合には、固定式の記録媒体の記録容量に制限があるため、上書きにより必要な記録画像が消失してしまっている可能性があった。
【０００６】
固定式の記録媒体を使用した場合には、車外の映像蓄積サーバに転送を行うようにすることも可能であるが、認証情報等の設定の手間が必要であり、設定が不十分なまま運用を行うと、誤接続、誤消去、改ざんなどセキュリティ上の問題が発生する可能性があった。
【０００７】
本発明は、記録媒体の交換などの手作業が不要であり、また長時間の監視映像データの記録が可能でセキュリティの高い車載用監視レコーダを提供することを目的とする。
【課題を解決するための手段】
【０００８】
この発明は、
ビデオインタフェースを介してカメラと接続され、さらにネットワークインタフェースと制御手段とを備えた車載用の監視レコーダと、
大容量記憶装置と、ネットワークインタフェースと、制御手段とを備えた映像蓄積装置とを備え、
前記監視レコーダと、前記映像蓄積装置とは、各々のネットワークインタフェースによりネットワークを介して接続可能であり、
前記監視レコーダで前記カメラにより得られた監視映像データを前記ネットワーク経由で前記映像蓄積装置へ転送する監視記録システムにおいて、
前記映像蓄積装置の前記制御手段は個体識別情報または個体識別機能を持ち、
前記監視映像データの転送に際して、前記映像蓄積装置と前記監視レコーダの間で個体識別情報を転送し、認証を行うことを特徴とする
監視記録システムを提供する。
【発明の効果】
【０００９】
この発明によれば、車載監視カメラからの監視映像データを、ネットワークを介して映像蓄積装置に転送するようにしたので、長時間の監視映像データの記録が可能である。
また、記録媒体の交換などの手作業が不要になり、記録媒体の交換の必要がないため、日常的な運用の際の作業ミスによる記録画像の消失がない。また、犯人による記録媒体の持ち去りの恐れもない。
【発明を実施するための最良の形態】
【００１０】
実施の形態１．
図１は、本発明の実施の形態１の監視記録システムを示す概略図である。図示のように、車載用監視レコーダ１００は、アンテナ２００及びカメラ３００と接続されており、車載用監視レコーダ１００、アンテナ２００、カメラ３００は車両４００に取り付けられている。図１にはカメラ３００が１台のみが示されているが、後に図２を参照して説明するように、複数台のカメラが設けられている場合もある。一方、無線ＬＡＮ基地局５００は、後述の管理センタ８００に設置された映像蓄積装置８１０のサーバ６００に接続され、さらに鍵保管装置６４０がサーバ６００と接続されている。
【００１１】
車両４００が無線ＬＡＮ基地局５００の通信可能範囲内に入れば、車載用監視レコーダ１００と映像蓄積装置８１０のサーバ６００は無線ＬＡＮを通じて互いに通信可能となる。
【００１２】
図２は、車載用監視レコーダと車両上の関連機器の接続例を示すシステム構成図である。図示の例では、車載用監視レコーダ１００に前方監視用カメラ３００ａ、車内監視用カメラ３００ｂ、後方監視用カメラ３００ｃの３台のカメラがそれぞれ目的に応じて取り付けられている。
【００１３】
また、車両に取り付けられた車両制御マイコン４０１や、車両状態を検出するためのサイドブレーキセンサ４０２、ドアセンサ４０３、振動センサ４０４、人感センサ４０５などの車両状態検出センサも車載用監視レコーダ１００に接続されており、これらからの信号により、車載用監視レコーダ１００が車両の状態を検知することが出来るようになっている。なお、監視カメラや車両状態検出センサは車両の規模や目的によって、その数や種類が異なることがある。
【００１４】
図３は、車載用監視レコーダの構成例を示すブロック図である。図において、車載用監視レコーダ１００は、ビデオインタフェース１１０、記録媒体１２０、記録再生制御部１２５、無線ＬＡＮインタフェース１３０、センサ入力インタフェース１４１、ＣＡＮ（ＣＡＮ：Ｃａｒ  Ａｒｅａ  Ｎｅｔｗｏｒｋ）インタフェース１４２、タイマー１４３、ＣＰＵ１５１、ＲＯＭ１５２、ＲＡＭ１５３、ＥＰＲＯＭ１５４を備え、これらは互いにバス１５５を介して接続されている。
【００１５】
ビデオインタフェース１１０はカメラ３００ａ〜３００ｃ等から出力される映像信号を選択し、デジタル画像信号を得るために使用されている。センサ入力インタフェース１４１はサイドブレーキセンサ４０２、ドアセンサ４０３、振動センサ４０４、人感センサ４０５等の車両状態検出センサの信号を取得するために使用される。
ＣＡＮインタフェース１４２は、車載用監視レコーダ１００を車両内ネットワークＣＡＮと接続するために使用されているが、カメラ３００（又は３００ａ、３００ｂ、３００ｃ）、車両制御マイコン４０１、サイドブレーキセンサ４０２、ドアセンサ４０３、振動センサ４０４、人感センサ４０５等の接続にも使用することができる。
【００１６】
ＣＰＵ１５１は車載用監視レコーダ１００の制御を行い、ＲＯＭ１５２に格納された制御プログラムに従って動作し、ＲＡＭ１５３をワークエリアとして使用する。なお、制御プログラムの動作を規定する車両の監視条件の設定や、車載用監視レコーダ１００の識別番号、映像蓄積装置８１０乃至そのサーバ６００のホスト名やアドレスなどの接続先を探索するための探索情報、接続相手と相互認証するための認証書など車載用監視レコーダ１００の個体に関する認証情報はＥＰＲＯＭ１５４に格納されている。ＲＯＭ１５２、ＥＰＲＯＭ１５４としてフラッシュメモリを使用することとしても良い。
【００１７】
ビデオインタフェース１１０は、カメラ３００ａ〜３００ｃから出力される画像信号の何れかを選択するビデオスイッチ１１１と、ビデオスイッチ１１１により選択された画像信号をデジタル画像信号に変換するＡ／Ｄ変換器１１２と、そのデジタル画像信号をデータ伝送もしくはデジタル記録を効率的に行うためのデータ圧縮を行う画像圧縮部１１３とを備えており、また、ビデオスイッチ１１１、Ａ／Ｄ変換器１１２、画像圧縮部１１３はそれぞれバス１５５を介してＣＰＵ１５１により制御される。
【００１８】
なお、カメラ３００ａ〜３００ｃから出力される画像信号は、ビデオインタフェース１１０を経由して車載用監視レコーダ１００に取込まれるものとして説明したが、カメラ３００ａ〜３００ｃにおいてデジタル圧縮された映像データがＣＡＮインタフェース１４２を介して取込まれるようにしても良い。
【００１９】
図４は、駐車場内で複数台の車を取り扱う場合の車載用監視レコーダの動作を説明するシステム構成図である。図において、駐車場７００は車両４００を駐車する駐車領域７００ａを有し、その駐車領域７００ａが通信エリア（通信可能範囲）内になるように、無線ＬＡＮ基地局５００ａ、５００ｂ、５００ｃが設置されている。
管理センタ８００にはサーバ６００が配置されており、駐車場７００内に設置された無線ＬＡＮ基地局５００ａ、５００ｂ、５００ｃとは、ＬＡＮインタフェース５１０によりＬＡＮを介して接続されている。また、サーバ６００には操作端末６１０、ＤＶＤレコーダ６２０、大容量記憶装置６３０、及び鍵保管装置６４０の読み出し装置６７０（図５を参照して後述する）が接続されている。上記のうち、サーバ６００と、大容量記憶装置６３０と、操作端末６１０と、ＤＶＤレコーダ６２０とで映像蓄積装置８１０が構成されている。
【００２０】
図５はこの実施例で使用する鍵保管装置６４０の仕組みを示す図である。鍵保管装置６４０としては、キーハンガーと呼ばれるタイプのものが用いられている。この種の鍵保管装置６４０は、フック９０３を備え、車両キー９０１をフック９０３に掛けて保管することが出来るようになっている。最近の車両キー９０１には車両盗難防止装置（イモビライザー）付きのものがあり、この場合車両キー９０１にはＩＤチップ９０２が内蔵されている。ＩＤチップ９０２は内部に固有の識別情報を格納し外部から電力の供給を受けて識別情報を伝送するようになっている。車両盗難防止装置（イモビライザー）付きの車両キーの仕組みに関しては上記の特許文献２等に記載されている。
【００２１】
鍵保管装置６４０には、該鍵保管装置６４０に保管されている車両キー９０１に記録されている盗難防止装置用識別情報などの情報を読み出すための読み出し装置６７０を有する。この読み出し装置６７０は、ＩＤチップ９０２を動作させるための電磁誘導式給電回路９０５と、ＩＤチップ９０２と通信を行うためのレシーバ９０４とを有する。
レシーバ９０４は、取り出されたＩＤチップ９０２の識別情報を伝送するためのものであり、サーバ６００に接続されている。
なお、上記の例では鍵保管装置６４０としてキーハンガーと呼ばれるタイプのものを用いるものとしているが、キーボックスと呼ばれるタイプのものなど、他のタイプのものを用いても良い。また、車両キー９０１に内蔵されたＩＤチップとは無線で給電・通信する方式を例として示したが他の方式でもかまわない。
【００２２】
車載用監視レコーダ１００の基本動作には、待機、記録動作、転送動作があり、これらの動作は同時に行われることもある。以下、それぞれの動作について説明する。
【００２３】
待機は車載用監視レコーダ１００には電源が入っているが、記録動作も転送動作も行っていない状態である。この状態ではＣＰＵ１５１は監視プログラムと監視条件の設定の内容に従い、バス１５５を介してタイマー１４３、センサ入力インタフェース１４１、ビデオインタフェース１１０、無線ＬＡＮインタフェース１３０の状態などを監視することにより車両の状態を監視しているが、車両の状態に変化があった場合には設定に従って記録動作、転送動作などを実行する。例えば、センサ入力インタフェース１４１に接続されているサイドブレーキセンサ４０４によりサイドブレーキが解除されたことを検知した場合には記録動作を実行する。或いは、無線ＬＡＮインタフェース１３０により、車載用監視レコーダ１００が基地局５００と通信可能になった事が検知された場合には転送動作を実行する。
【００２４】
次に記録動作について説明する。車載用監視レコーダ１００は制御プログラムと事前に設定された車両の監視条件に基づいて、カメラ３００ａ〜３００ｃの選択、データ圧縮条件の設定、連続記録／間欠記録の設定を行い監視映像データの記録を実施する。
【００２５】
車載用監視レコーダ１００の記録媒体１２０に記録される、データの一例を図６（ａ）及び（ｂ）に示す。
記録媒体１２０は、図7に示すように、画像データ記憶領域１２１と管理情報記録領域１２２とを有する。
図６（ａ）に示される画像テーブルは、図7に示されるように、記録媒体１２０内の画像データ記録領域１２１に記録されるものであり、この画像テーブルには、画像番号１２１１、日時やセンサの状態等の付帯情報１２１２、及び画像データが記録される。また、図６（ｂ）に示される画像管理情報テーブルは、記録媒体１２０の管理情報記録領域１２２に記録されるものであり、この画像管理情報テーブルには、最終記録時刻１２２１、最終転送時刻１２２２、記録済み画像番号１２２３、未転送画像番号１２２４、前回転送画像番号１２２５、再送要求画像番号１２２６などの画像管理情報が画像データの記録、転送などに合わせて記録、更新される。
【００２６】
画像の記録単位としては、フィールドやフレーム単位で一枚の静止画像として記録していく方法、ＭＰＥＧなど動画圧縮フォーマットを用いた場合のパケット単位の各々を纏めてひとかたまりの（一単位の）データとして取り扱う方法等が考えられる。
【００２７】
このように記録媒体１２０には、画像データが、画像番号１２１１、付帯情報１２１２及び画像管理情報（図６（ｂ））とともに記録されているので、これらの情報を元に画像データを検索し、取り出すことが可能になる。
【００２８】
記録媒体１２０に記録された画像データが、映像蓄積装置８１０に転送され、正しく記録された場合には画像データ転送成功通知信号が、また、失敗した場合には画像データ再送要求信号が無線ＬＡＮ基地局５００（５００ａ、５００ｂ、５００ｃ）、アンテナ２００を経由して返信され（後に説明する図１０のステップＳ２０５）、無線ＬＡＮインタフェース１３０、ＣＰＵ１５１によりデータ転送完了処理（後に説明する図１０のステップＳ１０８、Ｓ１０９、Ｓ２０６、Ｓ２０７）又は再送処理（後に説明する図１０のステップＳ１０６）がなされる。
【００２９】
画像データ転送成功通知信号を受信した場合、映像蓄積装置８１０への転送が完了し消去しても問題のない画像番号が判断出来る。そのため、車載用監視レコーダ１００は現在画像が記録されている領域でも転送済み画像番号情報を調べる事によって、不要画像の消去や記録時の上書きの判断を自動的に行い、図６（ｂ）に示した最終記録時刻１２２１、最終転送時刻１２２２、記録済み画像番号１２２３、未転送画像番号１２２４、前回転送画像番号１２２５などの画像管理情報も画像データの記録に合わせて記録更新される。
また、画像データ再送要求信号を受信した場合は、画像データ１２１３、画像番号１２１１３付帯情報１２１２が再送信される（後に説明する図１０のステップＳ１０６）。この場合、図６（ｂ）に示した再送要求画像番号１２２６が記録更新される。
再送要求画像番号は、再送要求があったときに記録され、再送が完了すると、抹消される。
【００３０】
車載用監視レコーダ１００による画像記録では、記録開始条件を満たした時刻（アラームが動作した時刻）より少し遡って記録を開始したいことがある。例えば、振動センサ４０４が衝突などによる強い振動を検出したことを記録開始の条件に設定する場合である。一般的に衝突事故の場合、衝突後の映像よりも衝突前数秒の映像の方が重要である。そこで、走行状態または待機状態であっても、ビデオインタフェース１１０に入力された画像をＲＡＭ１５３あるいは記録媒体１２０の一部に常時記録しておき、記録開始条件を満たした場合にはこのようにして事前に記録された画像情報を用いて、記録開始時刻を遡らせることが可能になる。このように記録開始条件を満たす前に遡って記録を残す機能をプリアラーム記録機能と呼ぶ。
【００３１】
次に転送動作について説明する。図４において、車両４００ａは駐車場７００に帰って来ようとしているところであるとする。車両４００ａが無線ＬＡＮ基地局５００（５００ａ、５００ｂ、５００ｃ）との通信可能エリア（駐車領域７００ａを含み、駐車領域７００ａに略一致する）内に入ると、図３に示す車載用監視レコーダ１００の無線ＬＡＮインタフェース１３０が無線ＬＡＮ基地局５００（５００ａ、５００ｂ、５００ｃ）の電波を検知して無線ＬＡＮに接続可能なことをＣＰＵ１５１に通知する。ＣＰＵ１５１は、無線ＬＡＮインタフェース１３０に接続試行の指示を出す。このようにして、車載用監視レコーダ１００は無線ＬＡＮへの接続を試み、接続に成功した場合は通信を開始する。
【００３２】
この通信により、監視映像データが車載用監視レコーダ１００から映像蓄積装置８１０に転送される。映像蓄積装置８１０では、送信された監視映像データを一旦、大容量記憶装置６３０の一時記憶領域６３２（後述）に保存する。
【００３３】
その後、駐車場７００への駐車が完了すると、運転手（図示せず）は車両キー９０１を鍵保管装置６４０に収納する（フック９０３に掛ける）。鍵保管装置６４０には給電回路９０５とレシーバ９０４が内蔵されており、車両キー９０１に内蔵されたＩＤチップ９０２を動作させてＩＤチップ９０２の盗難防止用識別情報などの情報を取り出し、映像蓄積装置８１０に伝送する。
【００３４】
大容量記憶装置６３０は、例えばハードディスク装置で構成され、図８に示すように、保存領域６３１、管理情報記録領域６３２を有する。図８にはまた、サーバ６００が制御部６０１とインタフェース６０２とを有し、制御部６０１が認証部６０３と記録再生制御部６０４とを有することが示されている。
【００３５】
図９（ａ）及び（ｂ）は、大容量記憶装置６３０に、画像蓄積テーブルの形で記録される記録されるデータの一例を示す。
図９（ａ）に示される画像蓄積テーブルは、保存領域６３１に記録されるものであり、この画像蓄積テーブルには、テーブルの項目として管理番号６３１１、レコーダＩＤ６３１２、画像番号６３１３、付帯番号６３１４、画像データ６３１５等が記録される。管理番号６３１１は映像蓄積装置８１０内で画像を管理するためのものであり画像蓄積テーブル内で重複しないように割り当てられる。レコーダＩＤ６３１２はその画像を記録した車載用監視レコーダ１００の個体に付けられた識別番号である。画像番号６３１３、付帯情報６３１４、画像データ６３１５は車載用監視レコーダ１００で記録された情報（図６（ａ））と概して同じ内容のものである。但し、付帯情報６３１４については、映像蓄積装置８１０内で情報の追加が行なわれることもある。
【００３６】
図９（ｂ）に示されるレコーダ管理テーブルは、管理情報記憶領域６３２に記録されるものであり、このレコーダ管理テーブルには、テーブルの項目としてレコーダＩＤ６６３２、認証情報６３２２、記録範囲６３２３、前回転送画像範囲６３２４、車両情報６３２５等が記録される。レコーダＩＤ６３２１は車載用監視レコーダ１００の個体を識別するための識別番号である。認証情報６３２２としては、接続時にそれぞれの車載用監視レコーダ１００の個体が正しく登録されている個体であるかどうかを検証するために用いる情報が記録されている。記録範囲６３２３は前回この車載用監視レコーダ１００が接続されたときに当該車載用監視レコーダ１００にどの画像番号まで画像が記録されていたのかを記録する。前回転送画像範囲６３２４は前回この車載用監視レコーダ１００が接続されたときに転送され、記録に成功した画像番号の範囲を記録する。車両情報６３２５はこの車載用監視レコーダ１００の個体が取り付けられている車両に関する情報であり、例えば車種やナンバープレートなどの情報が含まれる。
【００３７】
図１０は、車載用監視レコーダ１００と映像蓄積装置８１０との間の画像データの転送及び記録動作を説明するフロー図である。以下、図１０を用いて転送動作の説明を行う。駐車後、運転者は車両キー９０１を鍵保管装置６４０にかけるものとする。
図４に示すように、車両４００ａが駐車場７００に入り、車両４００ａが無線ＬＡＮ基地局５００（５００ａ、５００ｂ、５００ｃのいずれか）との通信可能エリア内に入ると、車両４００ａに取り付けられている車載用監視レコーダ１００（図３参照）の無線ＬＡＮインタフェース１３０が基地局５００から発信された電波を検知して無線ＬＡＮに接続可能なことをＣＰＵ１５１に通知する。ＣＰＵ１５１は無線ＬＡＮインタフェース１３０を制御して、最寄りの基地局５００（５００ａ、５００ｂ、５００ｃのいずれか）に対して接続操作を行い、接続条件を満たせばネットワーク的に接続される。この時点で車載用監視レコーダ１００はネットワークに接続されたことを検知する（Ｓ１００）。
次に車載用監視レコーダ１００は探索情報として記憶されているホスト名やネットワークアドレスを用いて通信相手である映像蓄積装置８１０乃至そのサーバ６００の探索を行う（Ｓ１０１）。
【００３８】
映像蓄積装置８１０が見つかった場合、車載用監視レコーダ１００が通信開始要求を映像蓄積装置８１０に送付し（Ｓ１０２）、映像蓄積装置８１０が通信開始了解を返信すると（Ｓ２００）、車載用監視レコーダ１００と映像蓄積装置８１０の間の通信が開始される。
【００３９】
通信が開始されると、まず認証書などの認証情報を交換し（Ｓ１０３、Ｓ２０１）、正しい通信相手であるかどうかの確認（個体識別）を行う（Ｓ１０４、Ｓ２０２）。この認証は、図８の認証部６０３で行われる。この時、映像蓄積装置８１０からは鍵保管装置６４０により、取得された車両キー９０１に内蔵されたＩＤチップ９０２の情報を、車載用監視レコーダ１００に送信する。
車載用監視レコーダ１００はＣＡＮインタフェース１４２を通じて車両制御マイコン４０１に問い合わせを行い車両キー９０１のＩＤチップ９０２の情報が正しく登録されているものであるかどうかを確認する。
なお、この例では車載用監視レコーダ１００がＣＡＮインタフェース１４２を通じて車両制御マイコン４０１に接続されているものとしたが、盗難防止装置の認証を行うのが別の装置（車両制御マイコン４０１とは別の装置）である場合にはその装置と車載用監視レコーダ１００を接続することになる。
【００４０】
認証情報等が設定されていない場合には、車両キー９０１内蔵のＩＤチップ９０２の情報を認証情報として使用する。車両制御用マイコン４０１のＲＯＭ（図示せず）には車両ごとにそれぞれの車両キー９０１の正当性を評価するため、ＩＤチップ９０２の情報を評価するデータとプログラムが記録されている。車両キー９０１の個体を識別するためＩＤチップ９０２の情報は車両キー９０１の個体１つ１つで異なる情報が記録されており、車両制御マイコン４０１のＲＯＭに書き込まれている情報はそれぞれの車両４００ごとにその車両４００の個体用の車両キー９０１の情報が書き込まれている。
【００４１】
そのため車両キー９０１のＩＤチップ９０２の情報を車両制御マイコン４０１で認証することにより、鍵保管装置６４０にかけられた車両キー９０１の個体と画像データを転送しようとしている車載用監視レコーダ１００が取り付けられた車両４００の個体が対応づけられたものであることを確認することが出来る。
車両キー９０１の車両盗難防止装置用のＩＤチップ９０２の情報を利用することにより、設定が正しくなされていない場合にも誤送信、誤消去等を防ぐことが出来る。
【００４２】
次に車載用監視レコーダ１００は図６（ｂ）の画像管理情報テーブルに記録された画像管理情報を映像蓄積装置８１０に送信し（Ｓ１０５）、映像蓄積装置８１０はそれを記録する（Ｓ２０３）。このような記録は、記録再生制御部６０４により行われる。
このとき、映像蓄積装置８１０では、受信した画像管理情報（図６（ｂ））の前回転送画像番号（１２２５）と、映像蓄積装置８１０内のレコーダ管理テーブル（図９（ｂ））の前回転送範囲Ｄ１５とを比較して、監視レコーダ側ではすでに送信したことを示し、映像蓄積装置８１０ではまだ受信していないことを示す画像データがあれば、映像蓄積装置８１０から監視レコーダに再送要求画像番号が送信され、監視レコーダ１００において、前回転送画像番号１２２５と未転送画像番号１２２４の修正と記録が行われる（Ｓ２０３、Ｓ１０５）。
なお、このような管理情報の不整合は、改ざんの可能性有りと判断して記録に残す、あるいは警報を出すなどの対応にも利用できる。
【００４３】
次に必要に応じて上記のように修正された管理情報（図６（ｂ））より転送する画像が決定され、画像データの転送が開始される。通常は未転送画像を先に転送する。
まず、車載用監視レコーダ１００が画像テーブル（図６（ａ））から未転送のデータを選んで画像データ送信を行う（Ｓ１０６）。データを受け取った映像蓄積装置８１０はレコーダＩＤ，認証情報、車両情報などの情報を付帯情報として付加して画像蓄積テーブル（図９（ａ））に記録する（Ｓ２０４）。このような記録も、記録再生制御部６０４により行われる。記録に成功した場合は画像データ転送成功通知を、失敗した場合は画像データ再送要求を車載用監視レコーダ１００に送付する（Ｓ２０５）。
車載用監視レコーダ１００は、転送成功通知を受け取った場合、再送要求を受け取った場合はそれぞれ前回転送画像番号１２２５、未転送画像番号１２２６の変更等の画像管理情報（図６（ｂ））の更新を行い（Ｓ１０７）、画像テーブル（図６（ａ））から未転送のデータを選んで画像データの送信または再送信を行う（Ｓ１０６）。これらの画像データの転送操作は未転送画像が無くなるか、車両の移動などにより通信が切断されるまで繰り返される（Ｓ１０６、Ｓ１０７）。
【００４４】
車載用監視レコーダ１００は、未転送画像が無くなったことを確認すると、転送終了を映像蓄積装置８１０に通知し（Ｓ１０８）、通信の切断等の通信終了処理を行う（Ｓ１０９）。
また、車両の移動などにより通信が切断された場合も通信の切断等の通信終了処理を行う（Ｓ１０９）。
なお、映像蓄積装置８１０は、転送終了を受け取った場合または通信が切断された場合に転送終了と判断し（Ｓ２０６）、通信の切断等の通信終了処理を行う（Ｓ２０７）。
【００４５】
なお、車両の移動などにより全ての未転送画像の転送を完了する前に通信が切断された場合でも、車載用監視レコーダ１００は画像管理情報（図６（ｂ））に、映像蓄積装置８１０はレコーダ管理テーブル（図９（ｂ））に、転送完了が確認出来た範囲を前回転送画像番号として記録するので、次に通信が開始された時に像管理情報の確認と修正が行われるので（Ｓ２０３，Ｓ１０５）、重複や欠落のない未転送画像の転送が再開出来る。
【００４６】
このように車載用監視レコーダに記録された画像データを、ネットワークを介して車外の映像蓄積装置８１０に転送できるようにしたので、その画像データの蓄積容量を実質的に増やすことができる。
また、車両が移動中のように、車載用監視レコーダとネットワークとの接続が断続的であっても、ネットワークとの接続及び画像データ等の転送を自動的に行えるので、その画像データ転送制御をサイドブレーキの操作やエンジンスイッチのオン・オフなど当該車両内部情報のみならず、更にはネットワークを介して映像蓄積装置８１０からも制御できる。
そのため、駐車場内での監視のみならず、車両が移動であっても常時監視の可能性が得られた。この監視形態は、車載用監視レコーダの監視条件を個別に設定することで、車両の運用状況や監視目的、車両の状態に応じた運用が可能になる。
【００４７】
本発明による車載用監視レコーダやそれを利用したシステムは、タクシー、バス、電車などの旅客業、トラック便や宅配便などの運送業、得意先回りのための車両を持つ営業部門、警察のパトカーなど、車両の運用状況を常時監視することが求められる場合にも適用できる。以下、日常的な車両の運用例により動作を説明する。
【００４８】
典型的な例として、朝に駐車場を出て、日中車両の運行を行い、夕刻に駐車場に戻り、夜間は駐車場に駐車しているという運行を考える。エンジンがオンの間記録を行い、待機時にもドアセンサ、振動センサが動作した場合にはプリアラーム記録機能による記録を行うよう設定されている場合について説明する。
【００４９】
朝、運転者が車両４００に乗り込む前は、車載用監視レコーダ１００は待機状態ではあるが、例えば車内監視用カメラ３００ｂからの過去１０秒間の撮像画像信号（画像データ）がＲＡＭ１５３に常時記録されている。運転者が車両４００のドアを開くと、まずドアセンサ４０３からの信号に基づいて、車載用監視レコーダ１００はプリアラーム記録機能により記録動作を開始し、ＲＡＭ１５３に記録されている画像データが、画像番号、付帯情報と共に記録再生制御部１２５を介して記録媒体１２０に記録される。
【００５０】
なお、ＲＡＭ１５３は、ドアが開かれた前後の画像データの連続性を維持するためのバッファとして機能する。ドアが開かれる前にＲＡＭ１５３に記録されたカメラ３００ｂからの画像データはドアが開かれてアラームが動作した後、記録媒体１２０に転送・記録される。アラーム動作後はカメラ３００ｂからの画像データは、ビデオＩ／Ｆ１１０からバス１５５、記録再生制御部１２５を経由して記録媒体１２０に記録される。このようにして、ドアが開かれてアラームが動作する前からその後にかけての画像を記録することができる。
【００５１】
次に車両４００のエンジンがかけられるとカメラ３００ａ〜３００ｃの全てが動作し、順次間欠記録を開始する。また、基地局５００及び映像蓄積装置８１０との接続、データ転送動作を開始しても良い。
【００５２】
車両４００が動き始め、駐車場７００の外に出ると、車載用監視レコーダ１００は運行中の監視記録動作を行う。
例えば、ビデオスイッチ１１１により前方監視カメラ３００ａを２秒毎に１フレーム、同様に車内監視カメラ３００ｂと後方監視カメラ３００ｃも２秒毎に１フレームを取出して記録媒体１２０に記録するようにすれば、２秒間隔で監視映像データを記録することができる。
また、前方監視用カメラ３００ａからの１０秒間の画像データをＲＡＭ１５３に常に記憶しておくことにより、事故などの異常を振動センサ４０４が検出した場合に、プリアラーム機能を動作させることができる。
【００５３】
次に車両を駐車場に駐車して車両から離れた場合を説明する。サイドブレーキが引かれたことをサイドブレーキセンサ４０４で検知し、運転者が車両４００の外に出てドアが閉められたことを人感センサ４０５とドアセンサ４０３で検知すると、ＣＰＵ１５１からの制御信号に基づいて、待機状態での監視がなされる。
【００５４】
夕刻、業務が終了して駐車場７００にもどると、駐車場７００の通信エリアに入ったことを無線ＬＡＮインタフェース１３０により検知し、車載用監視レコーダ１００はネットワークへの接続を検知し、映像蓄積装置８１０への転送動作を開始する。駐車後、運転者がエンジンを停止して車両を降りると記録動作が停止する。その後、転送動作が完了すると車載用監視レコーダ１００は待機状態となる。
【００５５】
駐車場７００に駐車しない場合でも、休憩時など、運転者がエンジンを切り車両を降りると車載用監視レコーダ１００は待機状態となる。
【００５６】
以上のような待機状態場であっても、振動センサ４０４により他車の衝突や、窓ガラスを割られたことを検出することにより、プリアラーム記録を動作させ、画像の記録あるいは画像データ転送を行うことが出来る。
【００５７】
また、運行中に同様の記録・転送システムを採用した他者の駐車場に駐車したり通過したりすることもある。この場合、通常はネットワークの設定により接続不可能であるか、あるいは映像蓄積装置の探索に失敗することになるためデータの転送は開始されない。偶然、これらの設定が合致して映像蓄積装置との通信が開始された場合にも、認証情報の交換を行って相互に認証するため、車載用監視レコーダ１００が誤った映像蓄積装置に対して画像転送を行うことを防ぐことができる。特に車両キー９０１内蔵のＩＤチップ９０２が持つ識別情報を用いた場合映像蓄積装置の正当性を厳密に確認することが出来る。
【００５８】
このようにこの車載用監視レコーダでは、記録の開始、停止、転送の開始、停止、車載用監視レコーダ上の記録画像の消去などが自動で行われ、日常的な運用の範囲内では人手を介することのない常時監視が可能になるとともに、車両キー９０１により車両と映像蓄積装置の両方に対して正当性を保証し、誤動作を防ぐことが出来る。
【００５９】
また、磁気テープや取り外し可能なハードディスク装置などの記録媒体を運転者などが手で着脱を行う必要が無く、記録媒体の取り付忘れ、提出忘れ、故意の破棄や未提出、データの改ざんや差し替えを防ぎ、作業や管理の手間を軽減するとともに運行記録の確実性が向上する。
【００６０】
また、日常的な運用に際して人が手を触れる必要がないため、車内への組み付けの自由度を上げることが出来る。手を触れるのが困難な場所への設置が可能となるため、強盗などが発生した場合の犯人による記録媒体や車載用監視レコーダ本体の持ち去り、事故を起こした運転者などによる記録画像の破棄などを防ぐことが可能となる。
【００６１】
また、転送時の認証に車両キーを用いた認証を行うため設定の手間を軽減し、誤転送を防ぎセキュリティを高めることが出来る。
【００６２】
以上の説明では、無線ネットワークを用いた例を説明したが、有線のネットワークを用いる方法、光通信、無線通信、携帯電話を用いる方法など、接続方式に関して様々なバリエーションが考えられる。また、車載用監視レコーダの動作条件やセンサの種類、通信の手順、データの形式なども例に示したもの以外の形態が可能である。
【００６３】
実施の形態２．
実施の形態２で用いられるシステム構成は実施の形態１と同じであるが、監視映像データの転送、記録の手順が異なる。
【００６４】
まず、実施の形態２では、大容量記憶装置６３０が、図１１に示すように、保存領域６３１、管理情報記録領域６３２に加え、一時記憶領域６３３を有する。
【００６５】
また、実施の形態２では、車載用監視レコーダ１００から映像蓄積装置８１０への監視映像データの転送に際しては、車両キー９０１から得られる盗難防止装置用識別情報を用いた認証を行わず、映像蓄積装置８１０では、転送された監視映像データを一旦、一時記憶領域６３３に記録し、その後、車両キー９０１が鍵保管装置６４０に収納されて、鍵保管装置６４０において車両キー９０１から盗難防止装置用識別情報が読取られ、
読取られた盗難防止装置用識別情報が映像蓄積装置８１０へ送信されたとき、該盗難防止装置用識別情報を個体識別情報として、一時記憶領域６３３に記憶されている監視映像データの認証を行い（この認証は、一時記憶領域６３３に記憶されている監視映像データに付随して送信された認証情報と照合することにより行われる）該認証の後に、
一時記憶領域６３３に記憶されている監視映像データを読み出して、保存領域６３２に記録する。
【００６６】
実施の形態２における、車載用監視レコーダ１００と映像蓄積装置８１０との間の画像データの転送及び記録動作は、実施の形態１に関して図１０を参照して説明したのと概して同じであるが、以下の点で異なる。
即ちステップＳ１０３，Ｓ２０１において、通信が開始されると、まず認証書などの認証情報を交換する（Ｓ１０３、Ｓ２０１）が、この際、監視レコーダ１００側では相手（映像蓄積装置）が正しい通信相手であるかどうかの確認（個体識別）を行う（Ｓ１０４、Ｓ２０２）。一方、映像蓄積装置８１０では、監視レコーダからの認証情報を受け取って保存するのみで、通信相手の確認は行わず、後に車両キー９０１が鍵保管装置６４０に収納されてから通信相手の確認を行う。
【００６７】
そして、監視レコーダ１００から映像蓄積装置８１０への監視映像データの転送の後、
車両の駐車が行われ、車両キー９０１が鍵保管装置６４０にかけられると、以下のような処理が行われる。
【００６８】
即ち、車両キー９０１が鍵保管装置６４０に収納されると、鍵保管装置６４０は、車両キー９０１に内蔵されたＩＤチップ９０２から盗難防止装置用識別情報を取得し、映像蓄積装置８１０に送る。
映像蓄積装置８１０は、盗難防止装置用識別情報を受けて、これに対応する監視映像データが一時記憶領域６３３内に記録されていないかどうかを検査する。
対応する監視映像データが見つかった場合、それに付随して記録されている認証情報と、鍵保管装置６４０から送られた盗難防止装置用識別情報とを照合する。即ち、鍵保管装置６４０から送られた盗難防止装置用識別情報を個体識別情報として用いて、監視映像データの認証を行い、一時記憶領域６３３に記録されている監視映像データが正当なものがどうかを確認する。
認証により、正当な監視映像データであると確認されれば、一時記憶領域６３３から監視映像データを読み出し、保存領域６３２に記録する。さらに、レコーダ管理テーブル（図９（ｂ））の内容を更新する。
【００６９】
実施の形態３．
図１２は、本発明の実施の形態３の監視記録システムを示す概略図である。図示にように、カードリーダ１８０が車載用監視レコーダ１００と接続されており、別のカードリーダ６８０が映像蓄積装置８１０に設けられ、サーバ６００に接続されている。１０００ａ、１０００ｂはカードである。カードとしては磁気カード、ＩＣカード、ＲＦＩＤ（電波方式認証）機能付き非接触ＩＣカード等を使用することが出来る。
【００７０】
このカード１０００ａとカード１０００ｂには認証用の鍵ペアが書き込まれており、車載用監視レコーダ１００から映像蓄積装置８１０に映像を転送する際にカード内の情報を転送し、認証に使用することにより、互いに認証し、誤送信を防ぐことができる。
【００７１】
また、車載用監視レコーダ１００側のカード１０００ａの鍵を用いて車載用監視レコーダに記録されている映像と時間など付帯情報の改ざん防止用ダイジェストデータを作成して映像と一緒に記録することにより、不正な消去や改ざんを防ぐことができる。
【００７２】
上記の例ではカード１０００ａと１０００ｂで異なるカードを使用しているが、車載用監視レコーダのカードリーダ１８０において、カードから認証情報を読み込み、車両の駐車後、そのカードを車載用監視レコーダ側のカードリーダ１８０から映像蓄積装置８１０に接続されたカードリーダ６８０に移し、映像蓄積装置８１０のカードリーダ６８０において当該カードから前記認証情報を読み込むことによって認証を行うようにすることも出来る。
【００７３】
また、上記のように、カードの代りに図１４に示すように、携帯電話１１００ａ、１１００ｂを用い、車載用監視レコーダ１００に携帯電話１１００ａとのインタフェース１９０を設け、映像蓄積装置８１０に携帯電話１１００ｂとのインタフェース６９０を設け、これらのインタフェース１９０，６９０、携帯電話１１００ａ、１１００ｂにより携帯電話電話網１２００を介して認証情報を転送するようにしても良い。
【図面の簡単な説明】
【００７４】
【図１】この発明の実施の形態１の監視記録システムを示す概略図である。
【図２】実施の形態１で用いられる車載用監視レコーダと関連機器の接続例を示す概略図である。
【図３】実施の形態１で用いられる車載用監視レコーダの構成例を示すブロック図である。
【図４】実施の形態１で用いられる映像蓄積装置８１０と、鍵保管装置６４０と、駐車場における車両との通信の様子を示す概略図である。
【図５】実施の形態１で用いられる鍵保管装置６４０の一例を説明する構成図である。
【図６】（ａ）及び（ｂ）は、実施の形態１の車載用監視レコーダの記録媒体１２０に記憶されるデータの構成を示す図である。
【図７】実施の形態１で用いられる記録媒体１２０内のデータ領域を示す図である。
【図８】実施の形態１で用いられる大容量記憶装置６３０内のデータ領域、及びサーバ６００の構成を示す図である。
【図９】（ａ）及び（ｂ）は、実施の形態１の大容量記憶装置６３０に記憶されるデータの構成を示す図である。
【図１０】この発明の車載用監視レコーダと映像蓄積装置との間の画像データの転送及び記録動作を説明するフロー図である。
【図１１】実施の形態２で用いられる大容量記憶装置６３０内のデータ領域、及びサーバ６００の構成を示す図である。
【図１２】この発明の実施の形態３の監視記録システムの一例を示す概略図である。
【図１３】この発明の実施の形態３の監視記録システムの他の例を示す概略図である。
【符号の説明】
【００７５】
１００  車載用監視レコーダ、  １１０  ビデオインタフェース、  １１１  ビデオスイッチ、  １１２  Ａ／Ｄ変換器、  １１３  画像圧縮部、  １２０  記録媒体、  １３０  無線ＬＡＮインタフェース、  １４１  センサ入力インタフェース、  １４２  ＣＡＮインタフェース、  １４３  タイマー、  １５１  ＣＰＵ、  １５２  ＲＯＭ、  １５３  ＲＡＭ、  １５４  ＥＰＲＯＭ、  １５５  バス、  １８０  カードリーダ、  ２００  アンテナ、  ３００  カメラ、  ４００  車両、  ４０１  車両制御マイコン、  ４０２  サイドブレーキセンサ、  ４０３  ドアセンサ、  ４０４  振動センサ、  ５００  無線ＬＡＮ基地局、  ６００  サーバ、  ６１０  操作端末、  ６２０  ＤＶＤレコーダ、  ６３０  大容量記憶装置、  ６４０  鍵保管装置、  ６８０  カードリーダ、  ６０２  ＬＡＮインタフェース、  ７００  駐車場、  ８００  管理センタ、  ８１０  映像蓄積装置、  ９０１  車両キー、  ９０２  ＩＤチップ、  ９０３  フック、  ９０４  レシーバ、  ９０５  給電回路、  １０００ａ  カード、  １０００ｂ  カード。
【図１】
2008258740.tif 000003
【図２】
2008258740.tif 000004
【図３】
2008258740.tif 000005
【図４】
2008258740.tif 000006
【図５】
2008258740.tif 000007
【図６】
2008258740.tif 000008
【図７】
2008258740.tif 000009
【図８】
2008258740.tif 000010
【図９】
2008258740.tif 000011
【図１０】
2008258740.tif 000012
【図１１】
2008258740.tif 000013
【図１２】
2008258740.tif 000014
【図１３】
2008258740.tif 000015